(57)【要約】      （修正有）【課題】回転スライドカバー付き工具箱を提供する。【技術手段】回転スライドカバー２０の片側に取付部があり、レール１４と該回転スライドカバーにある取付部の間に可動連結部３０が備わっており、該可動連結部は、回転スライド台座部３１とカバー体接合部２２があり、該回転スライド台座部は、該レールに合わせて、回転やスライドしながら、抜けない状態に設けられているが、該カバー体接合部はそれによって、回転スライドカバーにある取付部と組合せて連結することになり、それで、該回転スライドカバーは、該可動連結部を回転支点として、１８０度開けられるように回転させ、対応するケース体１０の裏面１１側に移動するようになり、該レールに沿ってスライド移動して、該ケース体の裏面に収められるようになることで、工具箱Ａのカバー体は該ケース体の裏面に収められ、工具箱の使用中の体積が大幅に減少されるという実用性と進歩性がある。【選択図】図２
0003162549.tif 000002
【実用新案登録請求の範囲】
【請求項１】
回転スライドカバー付き工具箱であり、
一つの裏面１１、二つの側面１２と工具収納空間１３を有するケース体１０、
少なくとも、該ケース体１０の少なくとも一つの側面１２にある一つのレール１４、
該回転スライドカバー２０の片側に取付部２１が設けられており、
少なくとも、該レール１４と該回転スライドカバー２０にある取付部２１の間に一つの可動連結部３０が備わり、該可動連結部３０は、回転スライド台座部３１とカバー体接合部３２があり、該回転スライド台座部３１は該レール１４に合わせて、回転やスライドしながら、抜けない状態に設けられており、該カバー体接合部３２はそれによって、該回転スライドカバー２０にある取付部と組合せて連結することになり、それで、該回転スライドカバー２０は、該可動連結部３０を回転支点として、１８０度開けられるように回転させ、対応する該ケース体１０の裏面１１側向きに移動するようになり、該レール１４に沿ってスライド移動して、該ケース体１０の裏面１１に収められるように設けられていることを特徴とする該工具箱Ａ。
【請求項２】
該レール１４は、凸字形断面のミゾ切り形態になり、内側拡大ガイド溝１４１と縮径穿口１４２が形成され、該可動連結部３０の回転スライド台座部３１は、スライド状態で該内側拡大ガイド溝１４１に嵌められるようになるが、該可動連結部３０のカバー体接合部３２は、該縮径穿口１４２に突出し、該カバー体接合部３２と該回転スライドカバー２０にある取付部２１は、円柱と円孔で相互に合わせるように設けられ、そして、該カバー体接合部３２と該取付部２１は対向して、定向位置決め可能な外切り縁３２１と内切り縁２１１に嵌められており、また、該レール１４の片側に嵌合溝１４３があり、該嵌合溝１４３で、該カバー体接合部３２の円柱がそこに一部嵌め込まれて、該可動連結部３０をスライドさせない位置決め可能な状態にするが、該カバー体接合部３２の回転角度が、該外切り縁３２１と該嵌合溝１４３が対向した位置になったとき、該位置決め可能な状態が解除されるように設けられていることを特徴とする請求項１に記載の回転スライドカバー付き工具箱。
【請求項３】
該レール１４の縮径穿口１４２は更に、該嵌合溝１４３付近に突出縁部１４５があり、該可動連結部３０のカバー体接合部３２の動きを止める働きを果たすように設けられていることを特徴とする請求項２に記載の回転スライドカバー付き工具箱。
【請求項４】
該ケース体１０の側面１２は、該レール１４と平行した間隔のところにサブレール１４４が突出し、該回転スライドカバー２０の対応側の内壁に切り欠き２２が設けられるが、該サブレール１４４と切り欠き２２は、該回転スライドカバー２０が１８０度開けられるように回転し、該ケース体１０の裏面１２にスライドしたとき、お互いに対向して滑り嵌め合って、該回転スライドカバー２０のスライド移動を安定させるように導かせるように設けられていることを特徴とする請求項１に記載の回転スライドカバー付き工具箱。
【請求項５】
該ケース体１０の裏面１１には、多角度調整位置決め可能なベルトクリップ４０が設けられ、該ベルトクリップ４０は取付部４１とベルトクリッブ持ち部４２があり、該取付部４１は、スイングして該ケース体１０の裏面１１に組み合わせるが、該取付部４１はまた、該ベルトクリップ４０のスイング調整状態を位置決め可能にするための多角度調整位置決め可能なユニット４３があり、また、該ベルトクリップ４０のベルトクリッブ持ち部４２の先には更に、吊掛け孔４４が設けられていることを特徴とする請求項１に記載の回転スライドカバー付き工具箱。
【考案の詳細な説明】
【技術分野】
【０００１】
本考案は、工具箱に関わり、特に、回転スライドカバー付きのオリジナルな工具箱構造の空間形態設計に関する。
【背景技術】
【０００２】
本考案による改良された工具箱は、有回転式カバー体付きの特定工具箱構造形態である。
【０００３】
該工具箱の回転式カバー体は、ある角度に開けられたとき、カバー体の面積が工具箱自身の面積と同様なので、使用者がカバー体を長時間開けなければならないが、そこで、工具箱全体面積が必ず大きすぎてしまう。床に置いて使用される工具箱はあまり影響されないが、使用者のベルトにつける携帯用工具箱は、使用者にとって作業の不便になり、負担をかけられ、作業の柔軟性が低下するなどの問題がある。
【０００４】
そして、工具箱の回転式カバー体には、他の付加機能や価値を与え、工具箱製品の機能性を増加するのも、現在の関連業者がそれを考えて突破するよう取り組んでいく課題である。
【０００５】
それゆえ、上述の従来の回転式カバー体付き工具箱構造に存在する問題点について、より理想的で実用性のあるオリジナルな構造を開発するのが、使用者が望むことで、関連業者がその開発に努力し、突破していくべき目標と方向でもある。
【０００６】
それを鑑みて、考案者は関連商品の製造開発と設計に関する長年の経験を持っており、上述の目標について詳しく設計し、慎重に評価したうえ、ようやく実用性のある本考案を得られたわけである。
【考案の概要】
【０００７】
本考案は、回転スライドカバー付き工具箱を提供することを目的とし、解決しようとする課題は、より理想的で実用性のある工具箱構造の開発を目指して、それを改良、突破することである。
【課題を解決するための手段】
【０００８】
本考案が課題を解決するための手段の技術特徴として、工具箱であり、一つの裏面、二つの側面と一つの工具収納空間を有するケース体、少なくとも、ケース体側面にある一つのレール、該ケース体の工具収納空間の外部を蓋するための回転スライドカバーが備わり、該回転スライドカバーの片側に取付部があり、レールと該回転スライドカバーにある取付部の間に可動連結部が備わっており、該可動連結部は、回転スライド台座部とカバー体接合部があり、該回転スライド台座部は、該レールに合わせて、回転やスライドしながら、抜けない状態に設けられているが、該カバー体接合部はそれによって、回転スライドカバーにある取付部と組合せて連結することになり、それで、該回転スライドカバーは、該可動連結部を回転支点として、１８０度開けられるように回転させ、対応するケース体の裏面側に移動するようになり、該レールに沿ってスライド移動して、該ケース体の裏面に収められるようになるこのオリジナルな設計により、本考案は背景技術に比べて、工具箱のカバー体は回転とスライドを兼ねた特性を持つと同時に、該ケース体の裏面に収められ、工具箱の使用中の体積が大幅に減少されるという実用性と進歩性がある。
【０００９】
本考案のもう一つの目的は、該回転スライドカバーにある凹んだスペースの構造設計にあるが、該回転スライドカバーが１８０度開けられるように回転し、対応する該ケース体の裏面側向きにスライドしたとき、該凹んだスペースは部品や物品を入れられるためのもう一つの収納空間となり、該回転スライドカバーの機能性が増えて、工具箱の付加機能と価値を向上させる実用性と進歩性がある。
【考案の効果】
【００１０】
本考案による効果向上の事実は次の通り。
【００１１】
本考案に掲示した“回転スライドカバー付き工具箱”は、該ケース体、レール、回転スライドカバーと可動連結部からなるオリジナルな構造設計であり、本考案は背景技術の従来の技術に比べると、それにより、該回転スライド台座部が該レールに合わせて、回転やスライド移動しながら、抜けない状態となり、工具箱のカバー体は、回転とスライドを兼ねた特性を持つと同時に、該ケース体の裏面に収められ、工具箱の使用中の体積が大幅に減少されるという実用性と進歩性がある。
【００１２】
本考案により、次のような新しい効果が生まれる。
【００１３】
該回転スライドカバーに凹んだスペースがあるという構造設計により、該回転スライドカバーが１８０度開けられるように回転し、対応する該ケース体の裏面側に移動したとき、該凹んだスペースは部品や物品を入れられるもう一つの収納空間となり、該回転スライドカバーの機能性が増え、工具箱の付加機能と価値が向上されるという実用性と進歩性がある。
【図面の簡単な説明】
【００１４】
【図１】本考案の好適な実施例の組合立体図。
【図２】本考案の好適な実施例の分解立体図。
【図３】本考案の回転スライドカバーをもう一つの視角からみた立体イメージ。
【図４】本考案の好適な実施例の局所部品の拡大図。
【図５】本考案の回転スライドカバーが蓋した状態の断面イメージ。
【図６】本考案の回転スライドカバーが１８０度開けられたイメージ。
【図７】本考案の好適な実施例の実施応用例図。
【図８】本考案の好適な実施例の作動イメージ一。
【図９】本考案の好適な実施例の作動イメージ二。
【図１０】本考案の好適な実施例の作動イメージ三。
【図１１】本考案の吊掛け孔の応用実施例図。
【図１２】本考案のレール縮径穿口に突出縁部が設けられている実施例図。
【考案を実施するための形態】
【００１５】
図１〜図６に示すのは、本考案の回転スライドカバー付き工具箱の好適な実施例だが、これらの実施例は説明のみに使用し、実用新案登録請求の際、その構造に制限されないとする。
【００１６】
一つの裏面１１、二つの側面１２と工具収納空間１３を有するケース体１０、
少なくとも、該ケース体１０の少なくとも一つの側面１２にある一つのレール１４、
該ケース体１０の工具収納空間１３の外部を蓋するための回転スライドカバー２０が備わり、該回転スライドカバー２０の片側に間隔を隔てた二箇所に取付部２１が設けられており、
それぞれ二つの該レール１４及び該回転スライドカバー２０にある二つ取付部２１の間に設けられている二つの可動連結部３０が備わり、各該可動連結部３０は回転スライド台座部３１とカバー体接合部３２があり、該回転スライド台座部３１はそれによって、該レール１４に合わせて回転やスライドしながら、抜けない状態に設けられており、該カバー体接合部３２はそれによって、該回転スライドカバー２０にある取付部２１と組合せて連結することになり、それで、該回転スライドカバー２０は、該可動連結部３０を回転支点として、１８０度開けられるように回転させ、対応する該ケース体１０の裏面１１側向きに移動するようになり、該レール１４に沿ってスライド移動して、該ケース体１０の裏面１１に収められるように設けられていることを特徴とする該工具箱Ａ。
【００１７】
該二レール１４は、凸字形断面のミゾ切り形態になり、内側拡大ガイド溝１４１と縮径穿口１４２が形成され、該可動連結部３０の回転スライド台座部３１は、スライド状態で該内側拡大ガイド溝１４１に嵌められるようになるが、該可動連結部３０のカバー体接合部３２は、該縮径穿口１４２に突出し、該カバー体接合部３２と該回転スライドカバー２０にある取付部２１は、円柱と円孔で相互に合わせるように設けられ、そして、該カバー体接合部３２と該取付部２１は対向して、定向位置決め可能な外切り縁３２１と内切り縁２１１に嵌められており、また、該レール１４の片側に嵌合溝１４３があり、該嵌合溝１４３で、該カバー体接合部３２の円柱がそこに一部嵌め込まれて、該可動連結部３０をスライドさせない位置決め可能な状態にするが、該カバー体接合部３２の回転角度が、該外切り縁３２１と該嵌合溝１４３が対向した位置になったとき、該位置決め可能な状態が解除されるように設けられている。
【００１８】
該ケース体１０の二側面１２は、該レール１４と平行した間隔のところにサブレール１４４が突出し、該回転スライドカバー２０の対応側の内壁に切り欠き２２が設けられるが、該サブレール１４４と切り欠き２２は、該回転スライドカバー２０が１８０度開けられるように回転し、該ケース体１０の裏面１２にスライドしたとき、お互いに対向して滑り嵌め合って、該回転スライドカバー２０のスライド移動を安定させるように導かせるように設けられている。
【００１９】
該ケース体１０の裏面１１には、多角度調整位置決め可能なベルトクリップ４０が設けられ、該ベルトクリップ４０は取付部４１とベルトクリッブ持ち部４２があり、該取付部４１は、スイングして該ケース体１０の裏面１１に組み合わせるが、該取付部４１はまた、該ベルトクリップ４０のスイング調整状態を位置決め可能にするための多角度調整位置決め可能なユニット４３が設けられている。
【００２０】
図１１に示すように、該ベルトクリップ４０のベルトクリッブ持ち部４２の先には更に、吊掛け孔４４が設けられている。
【００２１】
該回転スライドカバー２０には凹んだスペース２３があり、該回転スライドカバー２０が１８０度開けられるように回転し、対応するケース体１０の裏面１１側向きに移動したとき、該凹んだスペース２３は部品や物品を入れられるもう一つの収納空間になる。
【００２２】
上述の構造、組合せ設計により、本考案の実施、作動状況を以下のように説明する。
【００２３】
まず、図７に示すように、使用者は該工具箱Ａを、ベルトクリップ４０のベルトクリッブ持ち部４２で、斜めにして、腰のところにクリップ固定するが、そして使用ニーズに合わせて、該工具箱Ａを、該多角度調整位置決め可能なユニット４３で、プリセット角度にスイング調整し（図８のＷに示す）、位置決め可能にするが（図５参照）、このとき、該工具箱Ａのカバー体接合部３２と該取付部２１にある外切り縁３２１と内切り縁２１１は嵌め込み、定向位置決め可能になるが、該カバー体接合部３２は一部分が該嵌合溝１４３へ嵌めこまれて、該可動連結部３０がスライドできないというように位置決め可能になるが、使用者は、該ケース体１０の工具収納空間１３にある工具５０を使用するとき、図９に示すように、該回転スライドカバー２０は、該可動連結部３０を回転支点として１８０度開けられるように回転して、該回転スライドカバー２０が開けられ、該工具５０が外部に露出、取りやすくなり、開けられた回転スライドカバー２０で、該凹んだスペース２３が上開きになり、そこに部品や物品を入れることができるが、該回転スライドカバー２０は、対応する該ケース体１０の裏面１１側にも収められるが、図１０に示すように、該カバー体接合部３２と該取付部２１にある外切り縁３２１と内切り縁２１１が対向した位置になったとき、該回転スライド台座部３１は、該レール１４に滑り移動しながら、抜けないことになり、該レール１４に沿って滑り移動して、該ケース体１０の裏面１１に収められ（図６参照）、スペースがかからない。
【００２４】
図１２に示すように、該レール１４の縮径穿口１４２は更に、該嵌合溝１４３付近に突出縁部１４５があり、該可動連結部３０のカバー体接合部３２の動きを止める働きを果たすように設けられているが、それにより、該回転スライドカバー２０がある角度に開けられたとき、みだりに内向きへ滑り動かず、該回転スライドカバー２０の開いた状態で、該カバー体接合部３２の回転ぶりにマイナスな影響を与えないようになる（注：該カバー体接合部３２は、該嵌合溝１４３に合わせたところのみの回転に適用、レール１４のほかのセクションを無理に回転させようとすると、ひっかけたり、損壊したりする恐れがある。）。
【００２５】
上述の実施例に掲示したのは、本考案を具体的に説明するための内容であり、文中で特定な用語を用いて説明してきたが、それを以って本考案の実用新案登録請求の範囲を制限してはならず、この技術分野が分かる者は、本考案のコンセプトや考えなどを理解したうえ、その変更や改造などを行って、それと同等な効果を得たとして、これらの変更や改造などは、すべて後述の実用新案登録請求範囲に含まれるものとする。
【符号の説明】
【００２６】
Ａ      工具箱
１０    ケース体
１１    裏面
１２    側面
１３    工具収納空間
１４    レール
１４１  内側拡大ガイド溝
１４２  縮径穿口
１４３  嵌合溝
１４４  サブレール
１４５  突出縁部
２０    回転スライドカバー
２１    取付部
２１１  内切り縁
２２    切り欠き
２３    凹んだスペース
３０    可動連結部
３１    回転スライド台座部
３２    カバー体接合部
３２１  外切り縁
４０    ベルトクリップ
４１    取付部
４２    ベルトクリッブ持ち部
４３    多角度調整位置決め可能なユニット
４４    吊掛け孔
５０    工具
【図１】
0003162549.tif 000003
【図２】
0003162549.tif 000004
【図３】
0003162549.tif 000005
【図４】
0003162549.tif 000006
【図５】
0003162549.tif 000007
【図６】
0003162549.tif 000008
【図７】
0003162549.tif 000009
【図８】
0003162549.tif 000010
【図９】
0003162549.tif 000011
【図１０】
0003162549.tif 000012
【図１１】
0003162549.tif 000013
【図１２】
0003162549.tif 000014
【手続補正書】
【提出日】平成22年6月30日(2010.6.30)
【手続補正１】
【補正対象書類名】実用新案登録請求の範囲
【補正対象項目名】全文
【補正方法】変更
【補正の内容】
【実用新案登録請求の範囲】
【請求項１】
回転スライドカバー付き工具箱であり、
一つの裏面１１、二つの側面１２と工具収納空間１３を有するケース体１０、
少なくとも、該ケース体１０の少なくとも一つの側面１２にある一つのレール１４、
回転スライドカバー２０の片側に取付部２１が設けられており、
少なくとも、該レール１４と該回転スライドカバー２０にある取付部２１の間に一つの可動連結部３０が備わり、該可動連結部３０は、回転スライド台座部３１とカバー体接合部３２があり、該回転スライド台座部３１は該レール１４に合わせて、回転やスライドしながら、抜けない状態に設けられており、該カバー体接合部３２はそれによって、該回転スライドカバー２０にある取付部と組合せて連結することになり、それで、該回転スライドカバー２０は、該可動連結部３０を回転支点として、１８０度開けられるように回転させ、対応する該ケース体１０の裏面１１側向きに移動するようになり、該レール１４に沿ってスライド移動して、該ケース体１０の裏面１１に収められるように設けられていることを特徴とする回転スライドカバー付き工具箱。
【請求項２】
該レール１４は、凸字形断面のミゾ切り形態になり、内側拡大ガイド溝１４１と縮径穿口１４２が形成され、該可動連結部３０の回転スライド台座部３１は、スライド状態で該内側拡大ガイド溝１４１に嵌められるようになるが、該可動連結部３０のカバー体接合部３２は、該縮径穿口１４２に突出し、該カバー体接合部３２と該回転スライドカバー２０にある取付部２１は、円柱と円孔で相互に合わせるように設けられ、そして、該カバー体接合部３２と該取付部２１は対向して、定向位置決め可能な外切り縁３２１と内切り縁２１１に嵌められており、また、該レール１４の片側に嵌合溝１４３があり、該嵌合溝１４３で、該カバー体接合部３２の円柱がそこに一部嵌め込まれて、該可動連結部３０をスライドさせない位置決め可能な状態にするが、該カバー体接合部３２の回転角度が、該外切り縁３２１と該嵌合溝１４３が対向した位置になったとき、該位置決め可能な状態が解除されるように設けられていることを特徴とする請求項１に記載の回転スライドカバー付き工具箱。
【請求項３】
該レール１４の縮径穿口１４２は更に、該嵌合溝１４３付近に突出縁部１４５があり、該可動連結部３０のカバー体接合部３２の動きを止める働きを果たすように設けられていることを特徴とする請求項２に記載の回転スライドカバー付き工具箱。
【請求項４】
該ケース体１０の側面１２は、該レール１４と平行した間隔のところにサブレール１４４が突出し、該回転スライドカバー２０の対応側の内壁に切り欠き２２が設けられるが、該サブレール１４４と切り欠き２２は、該回転スライドカバー２０が１８０度開けられるように回転し、該ケース体１０の裏面１２にスライドしたとき、お互いに対向して滑り嵌め合って、該回転スライドカバー２０のスライド移動を安定させるように導かせるように設けられていることを特徴とする請求項１に記載の回転スライドカバー付き工具箱。
【請求項５】
該ケース体１０の裏面１１には、多角度調整位置決め可能なベルトクリップ４０が設けられ、該ベルトクリップ４０は取付部４１とベルトクリッブ持ち部４２があり、該取付部４１は、スイングして該ケース体１０の裏面１１に組み合わせるが、該取付部４１はまた、該ベルトクリップ４０のスイング調整状態を位置決め可能にするための多角度調整位置決め可能なユニット４３があり、また、該ベルトクリップ４０のベルトクリッブ持ち部４２の先には更に、吊掛け孔４４が設けられていることを特徴とする請求項１に記載の回転スライドカバー付き工具箱。